【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
スキャンされたハードコピーメディアを自動的に分類する方法であって、
ピクセル値を有する複数の画像ピクセルを有するスキャンされたデジタル画像を提供するためにデジタル画像取り込みデバイスを用いて１枚のハードコピーメディアをスキャンし、
前記１枚のハードコピーメディアの物理的サイズを決定し、
写真の一般物理的サイズを規定する一般写真サイズデータベースを受領し、
書類の一般物理的サイズを規定する一般書類サイズデータベースを受領し、
前記決定された物理的サイズが、写真の一般物理的サイズの１つと所定の許容範囲内で一致した場合に、前記スキャンされた１枚のハードコピーメディアを写真として分類し、
前記決定された物理的サイズが、書類の一般物理的サイズの１つと所定の許容範囲内で一致した場合に、前記スキャンされた１枚のハードコピーメディアを書類として分類し、
前記決定された物理的サイズが、写真の前記一般物理的サイズのいずれとも、又は書類の前記一般物理的サイズのいずれとも所定の許容範囲内で一致しない場合に、
データプロセッサを使用して、前記スキャンされたデジタル画像を解析し、前記１枚のハードコピーメディアに存在する任意の英数字の存在を検知し、
前記検知された英数字が既定の判定基準を満たす場合に、前記スキャンされた１枚のハードコピーメディアを書類に分類し、
前記決定された分類の表示をプロセッサにアクセス可能なメモリに格納する方法。
【請求項２】
前記１枚のハードコピーメディアの前記物理的サイズが、データプロセッサを使用して前記スキャンされたデジタル画像のピクセル値を解析することによって決定される、請求項１に記載の方法。
【請求項３】
前記１枚のハードコピーメディアの前記物理的サイズが、前記デジタル画像取り込みデバイスに接続された１つ又は複数のセンサを使用して決定される、請求項１に記載の方法。
【請求項４】
前記スキャンされたデジタル画像に１つ又は複数のデジタル画像処理操作を適用し、前記デジタル画像処理操作のうちの少なくとも１つが、前記決定された分類に応答して制御又は選択される、請求項１に記載の方法。
【請求項５】
前記ハードコピーメディアのスキャンされたページが光学的文字認識アルゴリズムを使用して解析され、前記１枚のハードコピーメディアに存在する任意の英数字を識別する、請求項１に記載の方法。
【請求項６】
前記所定の判定基準が、認識された英数字の数が所定の閾値より大きいか又は等しい場合に満たされる、請求項５に記載の方法。
【請求項７】
認識された英数字の諸群を既知の単語の辞書と比較して認識された単語を識別し、前記所定の判定基準が、認識された単語数を所定の閾値と比較する、請求項５に記載の方法。
【請求項８】
認識された英数字の諸群を解析して対応する語幹を決定し、前記所定の判定基準が、前記決定された語幹に応答して前記１枚のスキャンされたハードコピーメディアを書類に分類するかを決定する、請求項５に記載の方法。
【請求項９】
前記決定された語幹が一般書類語幹の辞書と比較される、請求項８に記載の方法。
【請求項１０】
前記一般書類語幹の辞書が特定の書類タイプに特有である、請求項９に記載の方法。
【請求項１１】
前記スキャンされたデジタル画像を解析して、前記１枚のハードコピーメディアが空白のページであるかを決定する、請求項１に記載の方法。
【請求項１２】
空白のページと決定されたどのスキャンされたデジタル画像も廃棄する請求項１１に記載の方法。
【請求項１３】
前記１枚のハードコピーメディアの前面と後面の両方が、デジタルスキャナを使ってスキャンされて、前面デジタル画像と後面デジタル画像とを提供し、前記前面デジタル画像と前記後面デジタル画像の両方が解析されて前記分類を決定する、請求項１に記載の方法。
【請求項１４】
書類分類がテキスト書類、線画書類、又はグラフィック書類を含む、請求項１に記載の方法。
【請求項１５】
前記スキャンされたデジタル画像をデジタルファイルに格納し、前記決定された分類が前記デジタルファイルに関するメタデータとして格納される、請求項１に記載の方法。
【請求項１６】
システムであって、
デジタル画像取り込みデバイスと、
データ処理システムと、
写真の一般物理的サイズを規定する一般写真サイズデータベース及び書類の一般物理的サイズを規定する一般書類サイズデータベースを格納するデータベースメモリと、
前記データ処理システムと通信可能に接続され、前記データ処理システムが、スキャンされたハードコピーメディアを自動的に分類する方法を実装するように構成された命令を格納するメモリシステムと、を備えるシステムにおいて、前記方法が、
ピクセル値を有する複数の画像ピクセルを有するスキャンされたデジタル画像を提供するためにデジタル画像取り込みデバイスを用いて１枚のハードコピーメディアをスキャンし、
前記１枚のハードコピーメディアの物理的サイズを決定し、
前記決定された物理的サイズが、写真の一般物理的サイズの１つと所定の許容範囲内で一致した場合に、前記スキャンされた１枚のハードコピーメディアを写真として分類し、
前記決定された物理的サイズが、書類の一般物理的サイズの１つと所定の許容範囲内で一致した場合に、前記スキャンされた１枚のハードコピーメディアを書類として分類し、
前記決定された物理的サイズが、写真の前記一般物理的サイズのいずれとも、又は書類の前記一般物理的サイズのいずれとも所定の許容範囲内で一致しない場合に、
データプロセッサを使用して、前記スキャンされたデジタル画像を解析し、前記１枚のハードコピーメディアに存在する任意の英数字の存在を検知し、
前記検知された英数字が既定の判定基準を満たす場合に、前記スキャンされた１枚のハードコピーメディアを書類に分類し、
前記決定された分類の表示をプロセッサにアクセス可能なメモリに格納するシステム。
【手続補正２】
【補正対象書類名】明細書
【補正対象項目名】発明の名称
【補正方法】変更
【補正の内容】
【発明の名称】スキャンされたハードコピーメディアの分類方法およびシステム
【手続補正３】
【補正対象書類名】明細書
【補正対象項目名】００１２
【補正方法】変更
【補正の内容】
【００１２】
本発明は、スキャンされたハードコピーメディアを自動的に分類する方法を提供するものであり、その方法は、
ピクセル値を有する複数の画像ピクセルを有するスキャンされたデジタル画像を提供するためにデジタル画像取り込みデバイスを用いて１枚のハードコピーメディアをスキャンし、
１枚のハードコピーメディアの物理的サイズを決定し、
写真の一般物理的サイズを規定する一般写真サイズデータベースを受領し、
書類の一般物理的サイズを規定する一般書類サイズデータベースを受領し、
決定された物理的サイズが、写真の一般物理的サイズの１つと所定の許容範囲内で一致した場合に、スキャンされた１枚のハードコピーメディアを写真として分類し、
決定された物理的サイズが、書類の一般物理的サイズの１つと所定の許容範囲内で一致した場合に、スキャンされた１枚のハードコピーメディアを書類として分類し、
決定された物理的サイズが、写真の一般物理的サイズのいずれとも、又は書類の一般物理的サイズのいずれとも所定の許容範囲内で一致しない場合に、
データプロセッサを使用して、スキャンされたデジタル画像を解析し、１枚のハードコピーメディアに存在する任意の英数字の存在を検知し、
検知された英数字が既定の判定基準を満たす場合に、スキャンされた１枚のハードコピーメディアを書類に分類し、
決定された分類の表示をプロセッサにアクセス可能なメモリに格納する。